(57)【要約】【課題】  容易に着脱自在に、且つ、衝撃に対する強度の向上を図ることができるショーケース用のバンパー及び該バンパーを備えたショーケースを提供する。【解決手段】  本発明のショーケース用バンパー２０は、ショーケース１の本体２外面に吸着可能なマグネット２３、２４をそれぞれ有し、本体２の一面に取り付けられる第１のバンパー部材２１と、当該一面に交差する本体２の他面に取り付けられる第２のバンパー部材２２とを備え、第１のバンパー部材２１の端部には、第２のバンパー部材２２の端部が係脱自在に係合する係合部２６Ａが形成されている。【選択図】図１
2007000347.tif 000002
【特許請求の範囲】
【請求項１】
ショーケースの本体外面に吸着可能なマグネットをそれぞれ有し、前記本体の一面に取り付けられる第１のバンパー部材と、当該一面に交差する前記本体の他面に取り付けられる第２のバンパー部材とを備え、
前記第１のバンパー部材の端部には、前記第２のバンパー部材の端部が係脱自在に係合する係合部が形成されていることを特徴とするショーケース用バンパー。
【請求項２】
本体の外面にバンパーを備えて成るショーケースにおいて、
前記バンパーは、前記本体外面に吸着可能なマグネットをそれぞれ有し、当該本体の一面に取り付けられる第１のバンパー部材と、当該一面に交差する前記本体の他面に取り付けられる第２のバンパー部材とを備え、
前記第１のバンパー部材の端部には、前記第２のバンパー部材の端部が係脱自在に係合する係合部が形成されていることを特徴とするショーケース。
【請求項３】
前記第１のバンパー部材の端部は、前記本体の一面と他面がつくる隅角部を覆うように屈曲しており、当該他面に位置する端面に凹陥した前記係合部が形成され、前記第２のバンパー部材の端部は、前記係合部内に進入して係合することを特徴とする請求項１又は請求項２に記載のショーケース用バンパー又はショーケース。
【発明の詳細な説明】
【技術分野】
【０００１】
本発明は、例えばスーパーマーケットやコンビニエンスストアなどの店内に据え付けられ、食品などの商品を陳列保存するショーケースに低温ショーケースなどのショーケース、特に、当該ショーケースに取り付けられるバンパーに関するものである。
【背景技術】
【０００２】
従来よりこの種ショーケースには、オープンショーケースなどがある。例えば所謂平型のオープンショーケースとして特許文献１に示されるショーケースがある。当該ショーケースは、上方に開口する本体内に貯蔵室を構成し、この貯蔵室と本体間に構成したダクトの底部に冷却装置の蒸発器と送風機を設けて、この蒸発器にて冷却された冷気を送風機によって、開口の一方の縁部に形成した吐出口から対向する縁部に形成した吸込口に向けて吐出している。
【０００３】
これによって、貯蔵室の開口部にエアーカーテンを形成し、外気が貯蔵室内に侵入することを抑制すると共に、冷気を貯蔵室内に循環させて貯蔵室内を冷却している。
【０００４】
この貯蔵室の底部には、デックパンと称される所定面積の商品載置板が載置され、そのデックパン上にスチロール樹脂製のトレイに載せられた商品（食品）等が多数並べられて陳列される。また、本体の開口縁各辺には、透明壁が立設されると共に、開口縁各辺の外側にはハンドレールが取り付けられている。
【０００５】
また、本体の底面には前記蒸発器と共に冷却装置の冷凍サイクルを構成する圧縮機や凝縮器等が収納された機械室が構成されている。更に、本体を構成する断熱壁の外面下端には、バンパーが取り付けられている。このバンパーは、ショーケースをスーパーマーケットやコンビニエンスストアなどの設置箇所に搬送する際に、当該ショーケースの本体が他の既存施設に衝突し、損傷することを防止するために設けられている。
【０００６】
この場合、直線状のバンパーが相互に突き合わされる隅角部には連結部材が配置され、各バンパーにそれぞれネジ止めされると共に、断熱壁の外側下端の隅角部を覆う構造とされていた。
【０００７】
しかしながら、かかる構成では、バンパーの取付作業が煩雑となるため、特許文献２に示す如く直線状のバンパーが相互に突き合わされる隅角部には、一方のバンパーの端部に固定され、屈曲されたジョイントが取り付けられ、当該ジョイントの上下に形成された係合部によって、突き合わされる他方のバンパーの係合を行っていた。また、各バンパーは、本体外面に設けられた複数の保持具に、長手方向に摺動自在に係合することで本体に固定されていた。
【０００８】
これに対し、バンパーはショーケースの外観に大きな影響を及ぼすため、当該ショーケースの搬入時、若しくは、搬出時以外の店頭設置時において、バンパーを取り外した状態での使用を可能とするショーケース、延いては、当該ショーケースに用いられるためのバンパーの開発が望まれている。
【０００９】
そこで、特許文献３に示す如くバンパーをマグネットによる磁力を利用して本体に取り付けるショーケースが開発されている。
【特許文献１】特開平９−５６５３７号公報
【特許文献２】特開平１１−２６２４３３号公報
【特許文献３】特開平１０−９７４０号公報
【発明の開示】
【発明が解決しようとする課題】
【００１０】
しかしながら、特許文献３に示す如きバンパーの取付構造では、本体の外面に鉄板等の金属板にて構成されるパネルを取り付け、当該パネルに対し接触面にマグネットを備えたバンパーを取り外し自在に設けるものであり、本体の隅角部は、依然としてバンパーによって衝撃や損傷を保護するための構造は設けられていなかった。
【００１１】
そのため、ショーケースの搬入出時において、本体の隅角部は保護されていないことから、当該隅角部が既存の設備に衝突した場合、本体が損傷し、外観が損なわれるという問題がある。
【００１２】
また、当該マグネットを備えたバンパーは、本体外面に対し、長手方向にわたって磁力によって接着させて固定するものであったため、当該バンパーを設置箇所に対し水平に取り付けることが困難であり、取付の位置決め作業が煩雑であるという問題があった。そのため、容易に位置調整を実施可能とするため、マグネットの磁力を容易に着脱可能とするものとしなければならず、衝撃によって、容易に位置がずれる、又は、外れる等の不都合が生じていた。
【００１３】
そこで、本発明は従来の技術的課題を解決するために成されたものであり、容易に着脱自在に、且つ、衝撃に対する強度の向上を図ることができるショーケース用のバンパー及び該バンパーを備えたショーケースを提供する。
【課題を解決するための手段】
【００１４】
本発明のショーケース用バンパーは、ショーケースの本体外面に吸着可能なマグネットをそれぞれ有し、本体の一面に取り付けられる第１のバンパー部材と、当該一面に交差する本体の他面に取り付けられる第２のバンパー部材とを備え、第１のバンパー部材の端部には、第２のバンパー部材の端部が係脱自在に係合する係合部が形成されていることを特徴とする。
【００１５】
請求項２の発明のショーケースは、本体の外面にバンパーを備えて成るものであって、バンパーは、本体外面に吸着可能なマグネットをそれぞれ有し、当該本体の一面に取り付けられる第１のバンパー部材と、当該一面に交差する本体の他面に取り付けられる第２のバンパー部材とを備え、第１のバンパー部材の端部には、第２のバンパー部材の端部が係脱自在に係合する係合部が形成されていることを特徴とする。
【００１６】
請求項３の発明は、請求項１又は請求項２に記載のショーケース用バンパー又はショーケースにおいて、第１のバンパー部材の端部は、本体の一面と他面がつくる隅角部を覆うように屈曲しており、当該他面に位置する端面に凹陥した係合部が形成され、第２のバンパー部材の端部は、係合部内に進入して係合することを特徴とする。
【発明の効果】
【００１７】
本発明のショーケース用バンパーによれば、ショーケースの本体外面に吸着可能なマグネットをそれぞれ有し、本体の一面に取り付けられる第１のバンパー部材と、当該一面に交差する本体の他面に取り付けられる第２のバンパー部材とを備え、第１のバンパー部材の端部には、第２のバンパー部材の端部が係脱自在に係合する係合部が形成されているため、これら第１のバンパー部材及び第２のバンパー部材にて構成されるショーケース用のバンパーをショーケースに対し、脱着自在に取り付けることができるようになる。
【００１８】
そのため、例えばショーケースの搬入出時のみバンパーを取り付け、店舗設置時においては取り外すことが可能となるため、店舗設置時におけるショーケースの外観向上を図ることができる。
【００１９】
また、バンパーを構成する第１のバンパー部材の端部には、第２のバンパー部材の端部が係脱自在に係合される係合部が形成されているため、これらバンパー部材が交差する箇所において該バンパー部材を確実に係合させることが可能となり、衝撃に対する強度を向上させることができる。そのため、格別にネジなどにより固定することなく各バンパー部材を係合させることが可能となり、取付作業を簡素化することができる。
【００２０】
請求項２の発明によれば、本体の外面にバンパーを備えて成るショーケースにおいて、バンパーは、本体外面に吸着可能なマグネットをそれぞれ有し、当該本体の一面に取り付けられる第１のバンパー部材と、当該一面に交差する本体の他面に取り付けられる第２のバンパー部材とを備え、第１のバンパー部材の端部には、第２のバンパー部材の端部が係脱自在に係合する係合部が形成されているため、これら第１のバンパー部材及び第２のバンパー部材にて構成されるバンパーをショーケースに対し、脱着自在に取り付けることができるようになる。
【００２１】
そのため、例えばショーケースの搬入出時のみバンパーを取り付け、店舗設置時においては取り外すことが可能となるため、店舗設置時におけるショーケースの外観向上を図ることができる。
【００２２】
また、バンパーを構成する第１のバンパー部材の端部には、第２のバンパー部材の端部が係脱自在に係合される係合部が形成されているため、これらバンパー部材が交差する箇所において該バンパー部材を確実に係合させることが可能となり、衝撃に対する強度を向上させることができる。そのため、格別にネジなどにより固定することなく各バンパー部材を係合させることが可能となり、取付作業を簡素化することができる。
【００２３】
請求項３の発明によれば、請求項１又は請求項２に記載のショーケース用バンパー又はショーケースにおいて、第１のバンパー部材の端部は、本体の一面と他面がつくる隅角部を覆うように屈曲しており、当該他面に位置する端面に凹陥した係合部が形成され、第２のバンパー部材の端部は、係合部内に進入して係合するため、第１のバンパー部材及び第２のバンパー部材の連続感が増大する。そのため、外観の向上を図ることができると共に、特に、マグネットが剥がれやすい隅角部の強度を増加させることができるようになる。
【００２４】
第１のバンパー部材の端部に形成される係合部は、隅角部を覆うように屈曲して形成されていると共に、屈曲側に位置する端面に凹陥して形成されることから、第２のバンパー部材の端部を容易に進入して係合することが可能となる。また、当該第２のバンパー部材の端部によって、第１のバンパー部材の端部に形成される係合部を外方からショーケース本体側に押しつけて固定するかたちとなるため、ショーケースの隅角部の保護を強固に行うことが可能となる。
【００２５】
また、かかる構成とすることで、第２のバンパー部材の形状を例えば単純な直線状とすることが可能となり、構造を簡素化することで、加工性を向上させることができる。
【発明を実施するための最良の形態】
【００２６】
以下、図面に基づき本発明の実施形態を詳述する。図１は本発明の実施例としての平型ショーケース１の斜視図、図２は図１のショーケース１の正面図、図３は図２のＢ−Ｂ’断面図を示している。本発明のショーケース１は、スーパーマーケットやコンビニエンスストアなどの店舗に設置される所謂平型の低温ショーケースであり、図１に示す如く上方に向けて開口し、内部に上面開口の貯蔵室３が形成された断面略コ字状の断熱壁６と、当該断熱壁６の両側面を構成する側板１５、１５とから本体２が構成されている。尚、これら断熱壁６及び側板１５、１５の外面は少なくとも鋼板製の材料、例えばステンレスなどにより構成されているものとする。
【００２７】
本実施例において断熱壁６は、前壁６Ａよりも後壁６Ｂが高く形成されており、当該後壁６Ｂの上端には、所定幅にて構成された天板５が設けられている。また、側板１５、１５は、上方に開口した略コ字状に形成された断熱壁にて構成されており、当該開口には、内部を透視可能とする透明壁１６が設けられている。
【００２８】
本体２の下部には機械室７が構成されており、この機械室７内には貯蔵室３内を冷却するための冷却装置を構成する図示しない圧縮機や凝縮器等が設置されている。機械室７の前面を構成する前面パネルには、複数の通風孔７Ａが形成されており、当該機械室７内への通風を行っている。
【００２９】
また、貯蔵室３の底部には、図示しないワイヤラック上にデックパンと称される所定面積の商品載置板８が載置されると共に、貯蔵室３の背部、即ち、断熱壁６の後壁６Ｂの前方には、所定間隔を存して前記仕切板９が設けられる。商品載置板８の下方及び仕切板９の背方には、一連の冷気ダクト１０が形成されると共に、この冷気ダクト１０内には冷却装置の図示しない蒸発器と蒸発器用送風機が設けられる。これにより、この蒸発器にて冷却された冷気を送風機によって、天板５の下面と仕切板９との間に形成される冷気吐出口１１から対向する他方の縁部、即ち、商品載置板８の前端と断熱壁６の前壁６Ａとの間に形成される冷気吸込口１２に向けて吐出している。これによって、貯蔵室３の開口にはエアーカーテンを形成しつつ、貯蔵室３内の所定の温度に冷却している。
【００３０】
一方、各側板１５、１５の上部前端には、ハンドレール１７が取り付けられている。そして、このハンドレール１７と側板１５、１５及び断熱壁６の前壁６Ａとの間には、透明壁１８が取り付けられている。
【００３１】
また、前記断熱壁６の前壁６Ａの外面及び側板１５、１５の外面の下端には本発明にかかるバンパー２０が取り付けられている。ここでバンパー２０について、図４乃至図９を参照して詳述する。図４はバンパー２０の斜視図、図５は第１のバンパー部材２１の斜視図、図６は第２のバンパー部材２２の斜視図、図７は図２におけるＡ−Ａ’断面図、図８は図７の点線円内の拡大図、図９は図３の点線円内の拡大図を示している。
【００３２】
バンパー２０は、直線状に硬質樹脂製により構成される第１のバンパー部材２１と、同じく直線状に硬質樹脂製により構成される第２のバンパー部材２２とから構成される。これらバンパー部材２１、２２は、共に、ショーケース１側に開口する断面略コ字状を呈している。そして、本体２を構成する断熱壁６及び側板１５の外面に吸着可能な永久磁石等のマグネット２３、２４が長手方向にわたって埋設されている。本実施例においてバンパー２０はショーケース１の後面を除く本体２外面、即ち、右側板１５、断熱壁６の前壁６Ａ、左側板１５に渡って設けられる。そのため、第１のバンパー部材２１は、各側板１５、１５に取り付けられ、第２のバンパー部材２２は、前壁６Ａに取り付けられる。
【００３３】
第１のバンパー部材２１は、後端に例えばゴム製のエンドキャップ２５が取り付けられており、前端には、係合部材２６が取り付けられる。この係合部材２６は、エンドキャップ２５と同様に例えばゴム製にて構成されており、断熱壁６の前壁６Ａと側板１５とが交差する隅角部、即ち本実施例では、各側板１５の前端を覆うように略直角に屈曲して形成されている。そして、屈曲された端部は、図８の拡大図に示す如く更に後方に少許屈曲し、全体として断面略コ字状となるように構成され、当該端部には、第２のバンパー部材２２と突き合わされる箇所において、凹陥した係合部２６Ａが形成されている。当該係合部２６Ａは、図５及び図８に示す如く、第２のバンパー部材２２の端部（後述するエンドキャップ２７の端部）が入り込む形状とされていると共に、係合部２６Ａ内において本体２側に対して、第２のバンパー部材２２と重複する面が形成されているものとする。
【００３４】
他方、第２のバンパー部材２２は、両端に例えばゴム製のエンドキャップ２７、２７が取り付けられている。
【００３５】
以上の構成により、ショーケース１に本発明のバンパー２０を取り付ける際には、先ず、ショーケース１の本体２を構成する側板１５、１５に第１のバンパー部材２１をマグネット２３の吸着力により取り付ける。このとき、各第１のバンパー部材２１は、いずれも床からの高さ位置が略同一の高さ位置となるように取り付け、なおかつ、床面と略水平となるように取り付けるものとする。
【００３６】
その後、ショーケース１の本体２を構成する前壁６Ａに、前方から第２のバンパー部材２２をマグネット２４の吸着力により取り付ける。このとき、第２のバンパー部材２２の端部は、それぞれ第１のバンパー部材２１の前端に取り付けられた係合部材２６の係合部２６Ａ内に進入して係脱自在に係合させるものとする。そのため、より長手に渡って構成される第２のバンパー部材２２の位置決めを係合部２６Ａによって行うことができるため、バンパー２０の取付作業を容易に行うことができる。
【００３７】
このように位置決めを容易とすることが可能となることから、特にマグネット２４の吸着力がより強力なものを使用することが可能となる。これにより、バンパー２０が強固に固定されることとなる。
【００３８】
また、上記構成とすることで、本体２の隅角部を第１のバンパー部材２１に取り付けられる係合部材２６にて覆うことが可能となると共に、該係合部材２６は、係合部２６Ａにて前方から第２のバンパー部材２２によって本体２側に押しつけて固定されるかたちとなる。そのため、ショーケース１に取り付けられるバンパー２０の連続感が増大し、外観の向上を図ることができる。また、マグネット２３及び２４が剥がれやすい隅角部の強度を増大させることができると共に、ショーケース１の隅角部の保護を強固に行うことができるようになる。
【００３９】
そのため、第１のバンパー部材２１に衝撃が加わった場合であっても、係合部２６Ａにて第２のバンパー部材２１と係合し、当該バンパー部材２１の他端も他側の第１のバンパー部材２１と係合していることから、すべてのバンパー部材２１、２１、２２によって三方向に分散して衝撃力を受けることが可能となる。
【００４０】
これにより、バンパー２０自体の衝撃に対する強度をより強固なものとすることができ、本体２への衝撃を緩衝することができるため、ショーケース１の損傷を最小限とすることができるようになる。また、衝撃に対してバンパー２０を構成する第１のバンパー部材２１や第２のバンパー部材２２の取付位置のずれや、外れるなどの不都合を抑制することができる。
【００４１】
また、本発明のバンパー２０は、上述した如くネジ等によりバンパーを固定するものではなく、マグネット２３、２４の吸着力によって固定を行うものであるため、固定のための工具や取付孔等を使用しない構成とすることができる。そのため、バンパー２０の脱着が容易となり、ショーケース１の搬入出以外など、バンパー２０を取り外す要求がある場合には、容易に取り外すことが可能となる。これにより、ショーケース１の設置時における外観を向上させることができる。
【００４２】
更にまた、本発明のバンパー２０は、直線状に形成された第１のバンパー部材２１や第２のバンパー部材２２にエンドキャップ２５や２７及び係合部材２６を取り付けて構成するものであるため、加工性がよく、生産コストの低減を図ることができる。
【００４３】
尚、本実施例では、ショーケース１の本体２外面の前面及び両側面に取り付けられるバンパー２０として説明しているが、これ以外にも、第１のバンパー部材２１の両端部に係合部材２６を取り付け、本体２の後面に第２のバンパー部材２２を取り付けた場合であっても、同様の効果を奏するものである。
【００４４】
また、本実施例では、係合部材２６を備えた第１のバンパー部材２１を側板１５側に取り付け、第２のバンパー部材２２を断熱壁６の前壁６Ａ側に取り付けているが、本体２の前壁６Ａが側板１５の外面よりも少許外側に位置している場合には、第１のバンパー部材２１を前壁６Ａに取り付け、第２のバンパー部材２２を側板１５に取り付けてもよいものとする。
【００４５】
更にまた、本実施例では、係合部材２６を第１のバンパー部材２１に取り付けることにより、第２のバンパー部材２２との係合を行っているが、これ以外にも、第１のバンパー部材２１と第２のバンパー部材２２とが突き合わされる端部を所謂額縁状に４５°の角度にて構成し、これらを突き合わせて構成してもよいものとする。この場合には、当該係合箇所などに、互いに係合する係合部を備えるものとする。
【図面の簡単な説明】
【００４６】
【図１】ショーケースの斜視図である。
【図２】図１のショーケースの正面図である。
【図３】図２におけるＢ−Ｂ’断面図である。
【図４】バンパーの斜視図である。
【図５】第１のバンパー部材の斜視図である。
【図６】第２のバンパー部材の斜視図である。
【図７】図２におけるＡ−Ａ’断面図である。
【図８】図７の点線円内の拡大図である。
【図９】図３の点線円内の拡大図である。
【符号の説明】
【００４７】
１    ショーケース
２    本体
３    貯蔵室
６    断熱壁
６Ａ  前壁
７    機械室
１５  側板
１７  ハンドレール
２０  バンパー
２１  第１のバンパー部材
２２  第２のバンパー部材
２３、２４  マグネット
２５、２７  エンドキャップ
２６  係合部材
２６Ａ  係合部
【図１】
2007000347.tif 000003
【図２】
2007000347.tif 000004
【図３】
2007000347.tif 000005
【図４】
2007000347.tif 000006
【図５】
2007000347.tif 000007
【図６】
2007000347.tif 000008
【図７】
2007000347.tif 000009
【図８】
2007000347.tif 000010
【図９】
2007000347.tif 000011